(57)【要約】【課題】電子情報の照合によって、投薬時の患者確認を行う。【解決手段】患者は自分自身の個人情報が記録されたＲＦタグ１１−１を有する診察券３もしくはＲＦタグ１１−６を有するリストバンド１４２を携帯している。医者や看護婦は、ハンディ端末１４１に診察券３のＲＦタグ１１−１もしくはリストバンド１４２のＲＦタグ１１−６から患者の個人情報を読み込ませ、使用する薬剤に貼り付けられている薬剤ラベル１２２のＲＦタグ１１−５から、投薬情報および個人情報を読み込ませる。ハンディ端末１４１は、ＲＦタグ１１−１もしくはＲＦタグ１１−６に記録されている患者の個人情報と、ＲＦタグ１１−５に記録されている患者の個人情報とを比較して、一致しているか否かを判断し、その結果を、ブザー１５１もしくは表示部１５２を用いて、使用者に通知する。【選択図】図１６
2007073074.tif 000002
【特許請求の範囲】
【請求項１】
患者とともに移動させることが可能であり、かつ、情報を電子的に記録する患者情報記録部を有する第１の情報処理装置と、
医療用品に貼り付けられるものであって、情報を電子的に記録するラベル内記録部を有するラベルと、
前記ラベルが有する前記ラベル内記録部に記録されている情報を読み出すとともに、前記第１の情報処理装置と情報を授受することが可能な第２の情報処理装置と
で構成される医療情報処理システムにおいて、
前記第２の情報処理装置は、
前記第１の情報処理装置の前記患者情報記録部から、前記患者を識別するための識別情報を取得し、前記ラベルが有する前記ラベル内記録部に記録されている前記識別情報および前記患者に施される医療内容を示す情報である医療情報を取得し、取得された前記医療情報を、前記第１の情報処理装置が有する前記患者情報記録部に供給して記録させる情報授受手段と、
前記情報授受手段による情報の授受を制御するとともに、前記情報授受手段により前記ラベルが有する前記ラベル内記録部から取得された前記患者の前記識別情報と、前記第１の情報処理装置の前記患者情報記録部から取得された前記患者の前記識別情報とが一致しているか否かを判断する制御手段と
を備え、
前記制御手段は、前記ラベル内記録部から取得された前記患者の前記識別情報と、前記患者情報記録部から取得された前記患者の前記識別情報とが一致している場合のみ、前記情報授受手段による、前記患者情報記録部への前記医療情報との記録を制御する
ことを特徴とする医療情報処理システム。
【請求項２】
前記第２の情報処理装置は、携帯型情報端末として構成される
請求項１に記載の医療情報処理システム。
【請求項３】
前記第１の情報処理装置は、前記患者が携帯するリストバンド内に備えられている
ことを特徴とする請求項１に記載の医療情報処理システム。
【請求項４】
前記第１の情報処理装置は、前記患者が携帯する診察券内に備えられている
ことを特徴とする請求項１に記載の医療情報処理システム。
【請求項５】
前記医療情報は、前記患者に投薬される薬剤に関する情報である投薬情報を含む
ことを特徴とする請求項１に記載の医療情報処理システム。
【請求項６】
前記医療情報は、前記患者の検査履歴を含む
ことを特徴とする請求項１に記載の医療情報処理システム。
【請求項７】
前記医療情報は、前記患者に用いられる医療器具に関する情報を含む
ことを特徴とする請求項１に記載の医療情報処理システム。
【請求項８】
患者とともに移動させることが可能であり、かつ、情報を電子的に記録する患者情報記録部を有する第１の情報処理装置と、
医療用品に貼り付けられるものであって、情報を電子的に記録するラベル内記録部を有するラベルと、
前記ラベルが有する前記ラベル内記録部に記録されている情報を読み出すとともに、前記第１の情報処理装置と情報を授受することが可能な第２の情報処理装置と
で構成される医療情報処理システムの医療情報処理方法において、
前記第２の情報処理装置が、前記ラベルが有する前記ラベル内記録部に記録されている前記患者を識別するための識別情報および前記患者に施される医療内容を示す情報である医療情報を取得する第１の取得ステップと、
前記第２の情報処理装置が、前記第１の情報処理装置の前記患者情報記録部から、前記患者の前記識別情報を取得する第２の取得ステップと、
前記第２の情報処理装置が、前記第１の取得ステップの処理により、前記ラベルが有する前記ラベル内記録部から取得された前記患者の前記識別情報と、前記第２の取得ステップの処理により、前記第１の情報処理装置の前記患者情報記録部から取得された前記患者の前記識別情報とが一致しているか否かを判断する判断ステップと、
前記判断ステップの処理により、前記第１の取得ステップの処理により取得された前記患者の前記識別情報と、前記第２の取得ステップの処理により取得された前記患者の前記識別情報とが一致していると判断された場合、前記第２の情報処理装置が、前記第１の取得ステップの処理により、前記ラベルが有する前記ラベル内記録部から取得された前記医療情報を、前記第１の情報処理装置に供給する供給ステップと、
前記第１の情報処理装置が、前記供給ステップの処理により前記第２の情報処理装置から供給された前記医療情報を、前記患者情報記録部に記録する記録ステップと
を含むことを特徴とする医療情報処理方法。
【請求項９】
患者とともに移動させることが可能な情報処理装置において、
前記患者を識別するための識別情報を取得する第１の取得手段と、
前記第１の取得手段により取得された前記患者の前記識別情報を記録する記録手段と、
他の装置から、前記記録手段により記録されている前記患者の前記識別情報の送信の要求を受け、前記他の装置に前記患者の前記識別情報を送信する送信手段と、
前記患者に施された医療内容を示す情報である医療情報を取得する第２の取得手段と
を備え、
前記記録手段は、前記第２の取得手段により取得された前記患者の前記医療情報を更に記録する
ことを特徴とする情報処理装置。
【請求項１０】
前記情報処理装置は、前記患者が携帯するリストバンド内に備えられている
ことを特徴とする請求項９に記載の情報処理装置。
【請求項１１】
前記情報処理装置は、前記患者が携帯する診察券内に備えられている
ことを特徴とする請求項９に記載の情報処理装置。
【請求項１２】
前記医療情報は、前記患者に投薬された薬剤に関する情報である投薬情報を含む
ことを特徴とする請求項９に記載の情報処理装置。
【請求項１３】
前記医療情報は、前記患者の検査履歴を含む
ことを特徴とする請求項９に記載の情報処理装置。
【請求項１４】
前記医療情報は、前記患者に用いられた医療器具に関する情報を含む
ことを特徴とする請求項９に記載の情報処理装置。
【請求項１５】
患者とともに移動させることが可能な情報処理装置の情報処理方法において、
前記患者を識別するための識別情報を取得する第１の取得ステップと、
前記第１の取得ステップの処理により取得された前記患者の前記識別情報を記録部に記録する第１の記録ステップと、
他の装置から、前記第１の記録ステップの処理により前記記録部に記録されている前記患者の前記識別情報の送信の要求を受け、前記他の装置に前記患者の前記識別情報を送信する送信ステップと、
前記患者に施された医療内容を示す情報である医療情報を取得する第２の取得ステップと、
前記第２の取得ステップの処理により取得された前記患者の前記医療情報を前記記録部に記録する第２の記録ステップと
を含むことを特徴とする情報処理方法。
【発明の詳細な説明】
【技術分野】
【０００１】
本発明は、医療情報処理システムおよび医療情報処理方法、並びに、情報処理装置および情報処理方法に関し、特に、医療ミスを防ぐことができるようにした、医療情報処理システムおよび医療情報処理方法、並びに、情報処理装置および情報処理方法に関する。
【背景技術】
【０００２】
医者が、治療のために、入院患者Ａに、点滴薬Ｂを処方し、入院患者Ｃに、点滴薬Ｄを処方することを指示する場合、対応する患者のカルテ、もしくは処方箋には、医者の手書きで薬品名が記載される。薬剤師、もしくは、看護婦などは、医者が手書きで記入したカルテ、もしくは処方箋を参照して、入院患者Ａに点滴薬Ｂを、入院患者Ｃに点滴薬Ｄを用意する。
【０００３】
点滴薬Ｂが入れられた点滴容器、および点滴薬Ｄが入れられた点滴容器の表面には、例えば、薬品名および患者名が記入されたラベルなどが貼り付けられ、入院患者Ａおよび入院患者Ｃには、例えばリストバンドなどが装着され、リストバンドには、氏名、生年月日、および血液型などの個人情報が記入されている。
【０００４】
看護婦などは、ラベルに記載された薬品名および患者名、並びに、リストバンドの患者名を目視により確認し、対応する患者に点滴薬を投与する。
【発明の開示】
【発明が解決しようとする課題】
【０００５】
近年、医療現場において、様々な医療ミスが発生し、問題となっている。例えば、手術するべき患者の取り違えや、投与するべき薬剤（飲用の薬、注射、点滴薬など）を間違えてしまうことなどといった医療ミスが発生している。
【０００６】
リストバンドなどに記載される個人情報は、人の手を介して、ボールペンなどにより記入されることが多いため、記入間違いを完全に防ぐことは困難である。
【０００７】
更に、リストバンドに記入された個人情報や、点滴薬の容器に貼り付けられている薬品ラベルを、医療従事者が目視により確認することにより、患者と、その患者に対応する治療内容の照合が行われていたため、照合ミスを根本的に防ぐことはできなかった。
【０００８】
本発明はこのような状況に鑑みてなされたものであり、投薬履歴を記録したり、医療ミスを防ぐことができるようにするものである。
【課題を解決するための手段】
【０００９】
本発明の医療情報処理システムは、患者とともに移動させることが可能であり、かつ、情報を電子的に記録する患者情報記録部を有する第１の情報処理装置と、医療用品に貼り付けられるものであって、情報を電子的に記録するラベル内記録部を有するラベルと、前記ラベルが有する前記ラベル内記録部に記録されている情報を読み出すとともに、前記第１の情報処理装置と情報を授受することが可能な第２の情報処理装置とで構成される医療情報処理システムであって、前記第２の情報処理装置は、前記第１の情報処理装置の前記患者情報記録部から、前記患者を識別するための識別情報を取得し、前記ラベルが有する前記ラベル内記録部に記録されている前記識別情報および前記患者に施される医療内容を示す情報である医療情報を取得し、取得された前記医療情報を、前記第１の情報処理装置が有する前記患者情報記録部に供給して記録させる情報授受手段と、前記情報授受手段による情報の授受を制御するとともに、前記情報授受手段により前記ラベルが有する前記ラベル内記録部から取得された前記患者の前記識別情報と、前記第１の情報処理装置の前記患者情報記録部から取得された前記患者の前記識別情報とが一致しているか否かを判断する制御手段とを備え、前記制御手段は、前記ラベル内記録部から取得された前記患者の前記識別情報と、前記患者情報記録部から取得された前記患者の前記識別情報とが一致している場合のみ、前記情報授受手段による、前記患者情報記録部への前記医療情報との記録を制御することを特徴とする。
【００１０】
前記第２の情報処理装置は、携帯型情報端末として構成されるものとすることができる。
【００１１】
前記第１の情報処理装置は、前記患者が携帯するリストバンド内に備えられているものとすることができる。
【００１２】
前記第１の情報処理装置は、前記患者が携帯する診察券内に備えられているものとすることができる。
【００１３】
前記医療情報は、前記患者に投薬される薬剤に関する情報である投薬情報を含むものとすることができる。
【００１４】
前記医療情報は、前記患者の検査履歴を含むものとすることができる。
【００１５】
前記医療情報は、前記患者に用いられる医療器具に関する情報を含むものとすることができる。
【００１６】
本発明の医療情報処理方法は、患者とともに移動させることが可能であり、かつ、情報を電子的に記録する患者情報記録部を有する第１の情報処理装置と、医療用品に貼り付けられるものであって、情報を電子的に記録するラベル内記録部を有するラベルと、前記ラベルが有する前記ラベル内記録部に記録されている情報を読み出すとともに、前記第１の情報処理装置と情報を授受することが可能な第２の情報処理装置とで構成される医療情報処理システムの医療情報処理方法であって、前記第２の情報処理装置が、前記ラベルが有する前記ラベル内記録部に記録されている前記患者を識別するための識別情報および前記患者に施される医療内容を示す情報である医療情報を取得する第１の取得ステップと、前記第２の情報処理装置が、前記第１の情報処理装置の前記患者情報記録部から、前記患者の前記識別情報を取得する第２の取得ステップと、前記第２の情報処理装置が、前記第１の取得ステップの処理により、前記ラベルが有する前記ラベル内記録部から取得された前記患者の前記識別情報と、前記第２の取得ステップの処理により、前記第１の情報処理装置の前記患者情報記録部から取得された前記患者の前記識別情報とが一致しているか否かを判断する判断ステップと、前記判断ステップの処理により、前記第１の取得ステップの処理により取得された前記患者の前記識別情報と、前記第２の取得ステップの処理により取得された前記患者の前記識別情報とが一致していると判断された場合、前記第２の情報処理装置が、前記第１の取得ステップの処理により、前記ラベルが有する前記ラベル内記録部から取得された前記医療情報を、前記第１の情報処理装置に供給する供給ステップと、前記第１の情報処理装置が、前記供給ステップの処理により前記第２の情報処理装置から供給された前記医療情報を、前記患者情報記録部に記録する記録ステップとを含むことを特徴とする。
【００１７】
本発明の医療情報処理装置および医療情報処理方法においては、第２の情報処理装置で、ラベルが有するラベル内記録部に記録されている患者を識別するための識別情報および患者に施される医療内容を示す情報である医療情報が取得され、第２の情報処理装置で、第１の情報処理装置の患者情報記録部から、患者の識別情報が取得され、第２の情報処理装置で、取得された患者の識別情報と、取得された患者の識別情報とが一致しているか否かが判断され、一致していると判断された場合、第２の情報処理装置で、取得された医療情報が、第１の情報処理装置に供給され、第１の情報処理装置で、第２の情報処理装置から供給された医療情報が、患者情報記録部に記録される。
【００１８】
医療用品は、医療情報を処理する情報処理装置を含み、情報処理装置は、他の情報処理装置と医療情報を送受信する送受信手段と、医療情報を記録する記録手段と、送受信手段により他の情報処理装置から受信した制御情報に従って、送受信手段による医療情報の送受信、および記録手段による医療情報の記録を制御する制御手段とを備えることができる。
【００１９】
前記医療用品には、医療現場で用いられる様々な医療用品が含まれる。前記医療用品には、例えば、患者の個人情報を記録し、患者の本人確認のために用いられる診察券もしくはリストバンド、対応する患者の個人情報が記録され、かつ印刷され、更に、医者が診察内容などを記載することができるカルテ、患者の個人情報および投薬情報が記録され、かつ印刷された処方箋などといった医療用ドキュメントがある。また、前記医療用品の他の例としては、薬品、医療従事者のユニフォーム、もしくはリネン類などに貼り付けられ、それらの管理に用いるために所定の情報が記録されたラベル類、患者の個人情報および薬剤に関する情報が記録された薬袋、点滴容器、注射器などの医療器具、あるいは、人工関節や人工臓器（例えば、人工血管や人工心臓弁）などがある。
【００２０】
前記情報授受手段は、例えば、非接触型アンテナや、接触端子などにより構成される。前記患者情報記録部および前記ラベル内記録部は、各種メモリにより構成され、電源供給がなくなっても記録された情報が消えることがない、例えばEEPROM（Electrically Erasable Programmable Read Only Memory）などの不揮発性メモリを用いることが好ましい。前記制御手段は、例えば、ＣＰＵ（Central Processing Unit）などの演算装置により構成され、受信した制御信号に従って、メモリに記録された医療情報を読み出して、他の情報処理装置に送信したり、受信した新たな医療情報を、メモリに記録させる。
【００２１】
医療情報を処理する第１の情報処理装置は、情報を記録し、他の情報処理装置などと情報の授受が可能な、例えば、ＲＦ（Radio Frequency）タグやＩＣカードなどである。
【００２２】
本発明によれば、患者の個人情報をはじめとする医療情報を、手書きではなく電子的に記録している医療用品を、医療現場で利用することができる。
【００２３】
また、診察券、リストバンド、カルテ、処方箋、あるいは、様々な医療器具等に貼り付けることができるラベルなどの医療用品に、医療情報を記録することが可能な医療情報処理装置を備えることができるため、それぞれの医療用品に、その用途に応じた情報を記録させ、例えば、カルテや処方箋の作成や、薬品その他の医療用品・医療器具の管理、あるいは、投与される薬剤と患者との照合などに利用することができる。
【００２４】
前記第１の取得ステップ、前記第２の取得ステップ、および、前記供給ステップは、例えば、非接触型アンテナや、接触端子などにより、リーダライタ、パーソナルコンピュータ、プリンタ、もしくは、ハンディ端末などが、情報を送受信する処理である。ハンディ端末は、リーダライタを内部に備え、情報の授受が可能なようになされている携帯型情報端末装置である。前記記録ステップは、各種メモリに医療情報を記録する処理であり、メモリには、電源供給がなくなっても記録された情報が消えることがない、例えばEEPROMなどの不揮発性メモリを用いることが好ましい。前記判断ステップは、例えば、ＣＰＵなどの演算装置が、ラベルおよび第１の情報処理装置から取得された患者の識別情報が一致しているか否かを判断する処理である。
【００２５】
また、他の情報処理装置と医療情報を送受信し、医療情報を記録するようにしたので、患者の個人情報をはじめとする医療情報を、手書きではなく電子的に記録することができる。
【００２６】
また、本発明によれば、診察券、または、患者のリストバンドのＲＦタグに、投薬などの履歴を記録させることにより、対応する患者に対して行われた治療の履歴を確実に蓄積し、管理することが可能となる。
【００２７】
また、診察券、リストバンド、カルテ、処方箋、あるいは、様々な医療器具等に貼り付けることができるラベルなどの医療用品に、医療情報を電子的に記録することが可能であるため、それぞれの医療用品に、その用途に応じた情報を記録させ、例えば、カルテや処方箋の作成や、薬品その他の医療用品・医療器具の管理、あるいは、投与される薬剤と患者との照合などに利用することができる。
【００２８】
患者が保有する前記第１の情報処理装置は、例えば、患者の個人情報を記録した診察券やリストバンドに備えられたＲＦタグやＩＣカードなどであり、第２の情報処理装置は、ラベルや第１の情報処理装置と情報を授受するハンディ端末などである。情報授受手段は、例えば、非接触型アンテナや、接触端子などにより構成される。前記制御手段は、例えば、ＣＰＵなどの演算装置により構成される。さらに、出力手段として、例えば、ＬＣＤなどの表示デバイス、ＬＥＤ、もしくは、音声を出力するスピーカで構成され、判断手段の判断結果を、テキストや音声で出力し、ユーザに判断結果を通知するものを備えることができる。
【００２９】
患者が保有する前記第１の情報処理装置は、例えば、患者の個人情報を記録した診察券やリストバンドに備えられたＲＦタグやＩＣカードなどであり、第２の情報処理装置は、ラベルや第１の情報処理装置と情報を授受するハンディ端末などである。第１の取得ステップおよび第２の取得ステップは、例えば、非接触型アンテナや、接触端子などが行う医療情報の送受信処理である。前記判断ステップは、例えば、ＣＰＵなどの演算装置などが、第１の識別情報と第２の識別情報が一致するか否かを判断する処理である。また、出力ステップとして、例えば、ＬＣＤなどの表示デバイスやＬＥＤ、もしくは、音声を出力するスピーカが、判断ステップの判断結果を、テキストや音声で出力し、ユーザに判断結果を通知する処理を含むようにすることも可能である。
【００３０】
また、例えば、診察券やリストバンドに備えられたＲＦタグに記録された患者の識別情報と、ラベルなどに貼り付けられたＲＦタグに記録された患者の識別情報が一致しているか否かを、目視ではなく、電子的に判断することができる。そして、判断結果を、例えばブザーやテキスト表示などによって、医者や看護婦などに通知するようにした場合、医療ミスを防ぐことが可能となる。
【００３１】
本発明の情報処理装置は、患者とともに移動させることが可能な情報処理装置であって、前記患者を識別するための識別情報を取得する第１の取得手段と、前記第１の取得手段により取得された前記患者の前記識別情報を記録する記録手段と、他の装置から、前記記録手段により記録されている前記患者の前記識別情報の送信の要求を受け、前記他の装置に前記患者の前記識別情報を送信する送信手段と、前記患者に施された医療内容を示す情報である医療情報を取得する第２の取得手段とを備え、前記記録手段は、前記第２の取得手段により取得された前記患者の前記医療情報を更に記録することを特徴とする。
【００３２】
前記情報処理装置は、前記患者が携帯するリストバンド内に備えられているものとすることができる。
【００３３】
前記情報処理装置は、前記患者が携帯する診察券内に備えられているものとすることができる。
【００３４】
前記医療情報は、前記患者に投薬された薬剤に関する情報である投薬情報を含むものとすることができる。
【００３５】
前記医療情報は、前記患者の検査履歴を含むものとすることができる。
【００３６】
前記医療情報は、前記患者に用いられた医療器具に関する情報を含むものとすることができる。
【００３７】
本発明の情報処理方法は、患者とともに移動させることが可能な情報処理装置の情報処理方法であって、前記患者を識別するための識別情報を取得する第１の取得ステップと、前記第１の取得ステップの処理により取得された前記患者の前記識別情報を記録部に記録する第１の記録ステップと、他の装置から、前記第１の記録ステップの処理により前記記録部に記録されている前記患者の前記識別情報の送信の要求を受け、前記他の装置に前記患者の前記識別情報を送信する送信ステップと、前記患者に施された医療内容を示す情報である医療情報を取得する第２の取得ステップと、前記第２の取得ステップの処理により取得された前記患者の前記医療情報を前記記録部に記録する第２の記録ステップとを含むことを特徴とする。
【００３８】
本発明の情報処理装置および情報処理方法においては、患者を識別するための識別情報が取得され、取得された患者の識別情報が記録部に記録され、他の装置から、記録部に記録されている患者の識別情報の送信の要求を受け、他の装置に患者の識別情報が送信され、患者に施された医療内容を示す情報である医療情報が取得され、患者の医療情報が記録部に記録される。
【００３９】
患者が保有する前記情報処理装置は、例えば、患者の識別情報を記録した診察券やリストバンドに備えられたＲＦタグやＩＣカードなどである。第１の取得手段、送信手段、第２の取得手段は、例えば、非接触型アンテナや、接触端子などにより構成される。記録手段は、例えば、各種メモリにより構成され、電源供給がなくなっても記録された情報が消えることがない、例えばEEPROM（Electrically Erasable Programmable Read Only Memory）などの不揮発性メモリを用いることが好ましい。
【００４０】
また、印刷手段を更に備えることもできる。前記印刷手段は、例えば、レーザビームを用いた印刷機構、インクジェット方式を用いた印刷機構、あるいは、ドットインパクトによる印刷機構などにより構成される。
【００４１】
本発明においてそれぞれの記録部に記録される情報は、例えば、患者の個人情報や、薬品をはじめとする医療用品に関する情報である。また、用紙とは、例えば、カルテ、処方箋、もしくは、各種医療用品に貼り付けられるラベルなどとしての用紙である。
【００４２】
例えば、ある情報処理装置から、情報を取得し、取得された情報が、所定の用紙に備えられた他の情報処理装置に記録されるように制御することができる。従って、記録された情報を基に、医療行為を行うことができる。
【００４３】
そして、取得された情報を、所定の用紙に印刷するようにしたので、所定の用紙には、手書きではなく、自動的に情報が記載されるので、記載ミスなどを防ぐことができる。
【００４４】
このことにより、患者の個人情報が記録されているＲＦタグを備えた診察券、リストバンド、もしくはカルテなどの医療用品や、パーソナルコンピュータなどから取得した医療情報が、ＲＦタグに電子的に記録され、かつ、医者、看護婦、もしくは薬剤師などが目視で確認できるように印刷された、カルテ、処方箋、もしくは各種ラベルなどを作成することができる。
【発明の効果】
【００４５】
以上のように、本発明によれば、患者の個人情報をはじめとする医療情報を、手書きではなく電子的に記録している医療用品を、医療現場で利用することができる。
【００４６】
また、診察券、または、患者のリストバンドのＲＦタグに、投薬などの履歴を記録させることにより、対応する患者に対して行われた治療の履歴を確実に蓄積し、管理することが可能となる。
【発明を実施するための最良の形態】
【００４７】
以下、図を参照して、本発明の実施の形態について説明する。
【００４８】
例えば、患者が病院に通院して診察を受ける場合、まず、初診の患者は、受付などで保険証を提示し、問診表などに所定の項目を記入して、診察券の発行を受ける。診察券を発行するシステムについて、図1を用いて説明する。
【００４９】
受付に設置されているパーソナルコンピュータ１は、リーダライタ２と接続されている。リーダライタ２は、パーソナルコンピュータ１から入力される制御信号に従って、診察券３に貼り付けられた（もしくは埋め込まれた）ＲＦ（Radio Frequency）タグ１１−１から、所定のデータを読み込んだり、ＲＦタグ１１−１に、所定のデータを送信する。
【００５０】
図２は、図１のパーソナルコンピュータ１の構成を示すブロック図である。
【００５１】
ＣＰＵ（Central Processing Unit）２１は、入出力インターフェース２２および内部バス２３を介して、受付担当者が、入力部２４を用いて入力した患者の個人情報の入力を受け、入力された信号に基づいた各種処理を実行する。ＲＯＭ（Read Only Memory）２５は、ＣＰＵ２１が使用するプログラムや演算用のパラメータのうちの基本的に固定のデータを格納する。ＲＡＭ（Random Access Memory）２６は、ＣＰＵ２１の実行において使用するプログラムや、その実行において適宜変化するパラメータを格納する。ＣＰＵ２１、ＲＯＭ２５、およびＲＡＭ２６は、内部バス２３により相互に接続されている
【００５２】
内部バス２３は、入出力インターフェース２２とも接続されている。入力部２４は、例えば、キーボードやマウスからなり、受付担当者がＣＰＵ２１に各種の指令を入力するとき操作される。表示部２７は、例えば、ＣＲＴ（Cathode Ray Tube）等からなり、各種情報をテキスト、あるいはイメージなどで表示する。
【００５３】
ＨＤＤ（hard disk drive）２８は、ハードディスクを駆動し、それらにＣＰＵ２１によって実行するプログラムや情報を記録または再生させる。
【００５４】
ネットワークインターフェース２９は、リーダライタ２に接続されており、リーダライタ２との情報を授受することができるようになされている。
【００５５】
これらの入力部２４乃至ネットワークインターフェース２９は、入出力インターフェース２２および内部バス２３を介してＣＰＵ２１に接続されている。
【００５６】
図３は、リーダライタ２の構成を示すブロック図である。
【００５７】
データの処理を行うＤＰＵ（Data Processing Unit）４１は、バス４２を介して、ＲＦタグ１１−１に送信するデータおよびＲＦタグ１１−１から受信したデータの処理を行うＳＰＵ（Signal Processing Unit）４３、外部装置（例えば、図１のパーソナルコンピュータ１）との通信を行うＳＣＣ（Serial Communication Controller）４４、並びに、データの処理に必要な情報を予め記憶したり、処理途中のデータを一時的に記憶するメモリ４５と、相互に接続されている。
【００５８】
アンテナ４６は、所定の電磁波を放射した状態で負荷状態を監視することにより、ＲＦタグ１１−１が通信可能な位置にあるか否かを検出し、ＲＦタグ１１−１に対してデータの送受信を行う。
【００５９】
リーダライタ２は、ＲＦタグ１１−１からデータを受信するとき、一定の最大振幅の変調波を出力しており、この変調波が、ＲＦタグ１１−１が有するアンテナの負荷の変動により、例えば、ＡＳＫ（Amplitude Shift Keying）変調される。復調部４７は、アンテナ４６を介して受信した変調波（ＡＳＫ変調波）を復調し、復調されたデータをＳＰＵ４３に出力する。
【００６０】
ＳＰＵ４３は、復調部４７を介して、ＲＦタグ１１−１から送信された応答データの入力を受け、そのデータに対して所定の処理（例えば、ＢＰＳＫ（Binary Phase Shift Keying）変調（ワンチェスタコードへのコーディング）など）を施すとともに、ＲＦタグ１１−１に送信するコマンドに対しても、同様に、所定の処理を行った後、変調部４８に出力する。
【００６１】
ＤＰＵ４１は、ＳＰＵ４３およびバス４２を介して、ＲＦタグ１１−１から受信した応答データや、ＳＣＣ４４およびバス４２を介してパーソナルコンピュータ１から入力される制御信号の入力を受け、入力された応答データや制御信号に従った処理を実行し、ＲＦタグ１１−１に送信するコマンドを、バス４２を介してＳＰＵ４３に出力したり、パーソナルコンピュータ１に出力するデータを、バス４２を介してＳＣＣ４４に出力する。
【００６２】
変調部４８は、発振部４９より供給される所定の周波数（例えば１３．５６ＭＨｚ）の搬送波を、ＳＰＵ４３より供給されるデータに基づいて、ＡＳＫ変調し、生成された変調波を、アンテナ４６を介して、電磁波としてＲＦタグ１１−１に出力する。なお、このとき、変調部４８は、変調度を１未満にして、ＡＳＫ変調を行うようになされており、これにより、データがローレベルのときにおいても、変調波の最大振幅がゼロにならないようになされている。
【００６３】
ＳＣＣ４４は、パーソナルコンピュータ１から入力されたデータを、バス４２を介して、ＤＰＵ４１に供給したり、ＤＰＵ４１から、バス４２を介して入力されたデータを、パーソナルコンピュータ１に出力する。
【００６４】
図４は、図１のＲＦタグ１１−１の構成を示すブロック図である。
【００６５】
ＲＦタグ１１−１のＩＣ６１は、ＡＳＫ変復調部７１、ＢＰＳＫ変復調部７２、ＣＰＵ７３、およびEEPROM（Electrically Erasable and Programmable Read Only Memory）７４で構成されている。
【００６６】
ＡＳＫ変復調部７１は、入力された変調波（ＡＳＫ変調波）を検波して復調し、復調後のデータを、ＢＰＳＫ変復調部７２に出力する。ＢＰＳＫ変復調部７２は、入力されたデータが、ＢＰＳＫ変調されている場合、そのデータの復調（ワンチェスタコードのデコード）を行い、復調したデータをＣＰＵ７３に出力する。ＣＰＵ７３は、入力されたデータに基づいた所定の処理を実行する。例えば、入力されたデータが、EEPROM７４に新たに記録させるためのデータである場合、そのデータをEEPROM７４に出力して保存させ、入力されたデータが、EEPROM７４に保存されている所定のデータの送出要求である場合、対応するデータをEEPROM７４から読み出し、ＢＰＳＫ変復調部７２に出力する。
【００６７】
EEPROM７４は、不揮発性のメモリであり、ＲＦタグ１１−１が、リーダライタ２との通信を終了し、その電力供給が停止された後も、データを記憶し続ける。
【００６８】
ＲＦタグ１１−１では、アンテナ６２および図示しないコンデンサで構成されるＬＣ回路において、リーダライタ３１のアンテナ４６が放射した電磁波の一部が電気信号に変換され、その電気信号（変調波）を整流平滑化することで、包絡線検波を行い、これにより生成される信号を、図示しない電圧レギュレータに供給し、その信号を安定化させて、直流電源として、ＲＦタグ１１−１の各部に供給させる。
【００６９】
ＲＦタグ１１−１からリーダライタ２へデータを送信する場合、ＢＰＳＫ変復調部７２は、ＣＰＵ７３より供給されたデータをＢＰＳＫ変調し、変調後のデータをＡＳＫ変復調部７１に出力する。ＡＳＫ変復調部７１は、ＢＰＳＫ変復調部７２から入力されたデータに対応して、例えば、図示しない所定のスイッチング素子をオン／オフさせ、スイッチング素子がオン状態であるときだけ所定の負荷をアンテナ６２に並列に接続させることにより、アンテナ６２の負荷を変動させる。すなわち、ＡＳＫ変復調部７１は、アンテナ６２の負荷の変動により、アンテナ６２を介して受信している変調波をＡＳＫ変調し（リーダライタ２は、ＲＦタグ１１−１からデータを受信するとき、すなわち、ＲＦタグ１１−１にデータを送信させるとき、その出力する変調波の最大振幅を一定にしており、この変調波が、アンテナ６２の負荷の変動により、ＡＳＫ変調される）、その変調成分を、アンテナ６２を介してリーダライタ２のアンテナ４６に送信する（すなわち、リーダライタ２のアンテナ４６の端子電圧を変動させる）。
【００７０】
なお、図４を用いて説明したＲＦタグ１１−１が貼り付けられた（もしくは埋め込まれた）診察券３の代わりに、ＲＦタグ１１−１と同様の構成を有するＩＣカードを診察券として用いるようにしても良い。
【００７１】
図５のフローチャートを参照して、診察券３の新規発行処理について説明する。
【００７２】
パーソナルコンピュータ１のＣＰＵ２１は、ステップＳ１において、入出力インターフェース２２および内部バス２３を介して、受付担当者が入力部２４を用いて入力した患者の個人情報の入力を受け、ステップＳ２において、入力された患者の個人情報を、内部バス２３、入出力インターフェース２２およびネットワークインターフェース２９を介して、リーダライタ２に出力する。
【００７３】
リーダライタ２のＤＰＵ４１は、ステップＳ３において、ＳＣＣ４４およびバス４２を介して、患者の個人情報の入力を受け、ステップＳ４において、アンテナ４６の付加状態を監視することにより、新規の診察券３のＲＦタグ１１−１との情報の授受が可能であるか否かを確認する。
【００７４】
ステップＳ４において、ＲＦタグ１１−１との情報の授受が可能であると確認された場合、ステップＳ５において、リーダライタ２のＤＰＵ４１は、ステップＳ３において入力された患者の個人情報を、バス４２、ＳＰＵ４３、変調部４８およびアンテナ４６を介して、新規の診察券３のＲＦタグ１１−１に送信する。
【００７５】
ＲＦタグ１１−１のＣＰＵ７３は、ステップＳ６において、アンテナ６２、ＡＳＫ変復調部７１、およびＢＰＳＫ変復調部７２を介して、ステップＳ５において、リーダライタ２が送信した患者の個人情報の入力を受け、ステップＳ７において、EEPROM７４に、患者の個人情報を出力して記録させ、処理が終了される。
【００７６】
このようにして、診察券３のＲＦタグ１１−１には、患者の個人情報が記録される。そして、カルテの発行時に、診察券３のＲＦタグ１１−１に記録された患者の個人情報が利用される。
【００７７】
図６を用いて、カルテの発行システムについて説明する。
【００７８】
プリンタ８１には、リーダライタ８２が内蔵されている。リーダライタ８２は、診察券３のＲＦタグ１１−１に記録された個人情報を読み出す。プリンタ８１は、患者の個人情報が記録されていないＲＦタグ１１−２を有し、かつ、患者の個人情報が印刷されていない新規のカルテ８３を挿入され、リーダライタ８２を用いてカルテ８３のＲＦタグ１１−２に患者の個人情報を記録させるとともに、個人情報を印刷して出力する。なお、ＲＦタグ１１−２は、図４を用いて説明したＲＦタグ１１−１と同様の構成を有するものであるので、その説明は省略する（ＲＦタグの構成については、以下、同様）。
【００７９】
図７は、プリンタ８１の構成を示すブロック図である。
【００８０】
ＣＰＵ９１は、内部バス９２を介して、リーダライタ８２、操作部９３、もしくは入出力インターフェース９４から入力される信号に従った各種処理を実行する。操作部９３は、例えば、ボタンやキーボードなどで構成され、ユーザから操作の入力を受けるときに用いられる。入出力インターフェース９４は、例えば、パーソナルコンピュータなどと接続され、情報が授受できるようになされている。
【００８１】
ＲＯＭ９５は、内部バス９２によりＣＰＵ９１に接続され、ＣＰＵ９１が使用するプログラムや演算用のパラメータのうちの基本的に固定のデータを格納する。ＲＡＭ９６は、内部バス９２によりＣＰＵ９１に接続され、ＣＰＵ９１の実行において使用するプログラムや、その実行において適宜変化するパラメータを格納する。
【００８２】
リーダライタ８２は、内部バス９２に接続され、診察券３のＲＦタグ１１−１からデータを読み出して、内部バス９２を介してＣＰＵ９１に供給したり、ＣＰＵ９１から供給されたデータを、カルテ８３のＲＦタグ１１−２に送信して、記録させる。
【００８３】
ブザー９７は、内部バス９２を介して、ＣＰＵ９１から入力される制御信号に従って、ユーザに対して、警告を示すブザー音、あるいは、処理の正常終了を示すブザー音などを発生する。
【００８４】
印刷データ処理部９８は、内部バス９２を介して、ＣＰＵ９１から入力される制御信号に従って、リーダライタ８２が読み込んだ診察券３に記録されていた患者の個人情報の入力を受け、カルテ８３に印刷する処理を実行する。印刷データ処理部９８は、例えば、レーザビームを用いた印刷機構、インクジェット方式を用いた印刷機構、あるいは、ドットインパクトによる印刷機構などのうち、いずれかの印刷機構を有する。
【００８５】
駆動制御部９９は、内部バス９２を介して、ＣＰＵ９１から入力される制御信号に従って、用紙搬送部１００の、図示しない用紙搬送ローラや各種モータ、クラッチなどの駆動を制御する。また、駆動制御部９９は、印刷データ処理部９８がレーザビームを用いた印刷機構を有している場合、例えば、レーザダイオード、ポリゴンミラー、感光体などの駆動を制御し、印刷データ処理部９８がインクジェット方式を用いた印刷機構を有している場合、例えば、インクヘッドやインク噴射機構などの駆動を制御し、印刷データ処理部９８がドットインパクトによる印刷機構を有していた場合、例えば、印字ヘッドなどの駆動を制御する。
【００８６】
用紙搬送部１００は、図示しない用紙搬送ローラや各種モータ、クラッチなどで構成され、駆動制御部９９の制御に従って、ＲＦタグ１１−２に個人情報が記録されておらず、かつ、患者の個人情報が印字されていないカルテ８３を、図示しない用紙トレイから、リーダライタ８２によるデータの書き込み位置、および印刷データ処理部９８による印刷位置に搬送する。
【００８７】
図８は、リーダライタ８２の構成を示すブロック図である。なお、図３のリーダライタ２と対応する部分には同一の符号を付してあり、その説明は適宜省略する。すなわち、リーダライタ８２は、図２のアンテナ４６に代わって、復調部４７および変調部４８に接続され、情報の受送信が可能なアンテナ４６−１と、変調部４８に接続され、送信専用のアンテナ４６−２を備えている以外は、基本的に図３のリーダライタ２と同様の構成を有する。
【００８８】
アンテナ４６−１は、プリンタ８１の外部に備えられ、診察券３をアンテナ４６付近にかざすことにより、診察券３のＲＦタグ１１−１とデータを授受する。送信専用のアンテナ４６−２は、用紙搬送部１００によるカルテ８３の搬送経路上に備えられ、カルテ８３のＲＦタグ１１−２に、所定のデータを送信して記録させる。
【００８９】
次に、図９のフローチャートを参照して、新規カルテの作成処理について説明する。
【００９０】
医者、もしくは看護婦は、患者から診察券３を受け取り、プリンタ８１の外部に備えられているリーダライタ８２のアンテナ４６−１付近に診察券３をかざす。プリンタ８２のリーダライタ８２のＤＰＵ４１は、ステップＳ１１において、アンテナ４６−１を介して入力される信号を元に、診察券３のＲＦタグ１１−１との情報の授受が可能であるか否かを確認し、ＲＦタグ１１−１との情報の授受が可能である場合、ステップＳ１２において、アンテナ４６−１を介して、診察券３のＲＦタグ１１−１に、患者の個人情報の送信を要求する信号を送信する。
【００９１】
ステップＳ１３において、診察券３のＲＦタグ１１−１のＣＰＵ７３は、アンテナ６２、ＡＳＫ変復調部７１、およびＢＰＳＫ変復調部７２を介して、患者の個人情報の送信要求の入力を受け、EEPROM７４に記録されている患者の個人情報を読み出して、ＢＰＳＫ変復調部７２、ＡＳＫ変復調部７１、およびアンテナ６２を介して、リーダライタ８２に、患者の個人情報を送信する。
【００９２】
リーダライタ８２のＤＰＵ４１は、ステップＳ１４において、診察券３のＲＦタグ１１−１から患者の個人情報を受信し、ステップＳ１５において、カルテ８３のＲＦタグ１１−２との情報の授受が可能であるか否か（すなわちカルテ８３が用紙搬送部１００により搬送され、ＲＦタグ１１−２が、リーダライタ８２のアンテナ４６−２付近まで移動したか否か）を確認する。
【００９３】
カルテ８３のＲＦタグ１１−２との情報の授受が可能である場合、ステップＳ１６において、リーダライタ８２のＤＰＵ４１は、カルテ８３のＲＦタグ１１−２に、ステップＳ１４において受信した患者の個人情報を、アンテナ４６−２を介して送信する。
【００９４】
カルテ８３のＲＦタグ１１−２のＣＰＵ７３は、ステップＳ１８において、カルテ８３のＲＦタグ１１−２から送信された患者の個人情報の入力を受け、ステップＳ１９において、EEPROM７４に患者の個人情報を出力して記録させる。
【００９５】
ステップＳ１９において、リーダライタ８２のＤＰＵ４１は、バス４２、ＳＣＣ４４、および内部バス９２を介して、ＣＰＵ９１に患者の個人情報を出力する。ＣＰＵ９１は、患者の個人情報を印刷データ処理部９８に出力して、カルテ８３に、患者の個人情報を印刷させて、カルテ８３を排出させ、処理が終了される。
【００９６】
図９を用いて説明した処理により、カルテ８３には、患者の個人情報が印刷され、そのＲＦタグ１１−２には、患者の個人情報が記録される。医者は、対応する患者の診察結果（病状および投与される薬剤など）をカルテ８３に記入する。
【００９７】
なお、ここでは、プリンタ８１にリーダライタ８２が内蔵されているものとして説明したが、リーダライタ８２（もしくは、リーダライタ２）を、プリンタ８１の外部に接続するようにしても良い。その場合、医者、もしくは看護婦は、カルテ８３へ患者の個人情報を印刷する処理の前後に、リーダライタ８２付近にカルテ８３のＲＦタグ１１−２をかざして、診察券３のＲＦタグ１１−１から読み込んだ患者の個人情報を記録させるようにする。
【００９８】
このようにして生成されたカルテ８３を基に、対応する患者に投与される薬剤を処方するための処方箋が発行される。また、発行された処方箋を用いて薬剤師が薬剤を処方する場合、薬品容器（例えば、ビンなど）に薬品を識別するための薬品ラベルを貼り付けて、薬品の調合ミスを防ぐようになされている。図１０を用いて、処方箋および薬品ラベルの発行システムについて説明する。
【００９９】
プリンタ８１に内蔵されているリーダライタ８２は、カルテ８３のＲＦタグ１１−２に記録された個人情報を読み出す。薬剤師は、カルテ８３に医者が記載した投薬に関する情報を確認し、パーソナルコンピュータ１に、投薬情報を入力する。パーソナルコンピュータ１は、入力された投薬情報を、プリンタ８１に出力する。
【０１００】
プリンタ８１は、患者の個人情報および対応する患者に投薬される薬剤に関する情報である投薬情報が記録されていないＲＦタグ１１−３を有し、かつ、患者の個人情報および投薬情報が印刷されていない新規の処方箋１１１を挿入され、リーダライタ８２を用いて処方箋１１１のＲＦタグ１１−３に患者の個人情報および投薬情報を記録させるとともに、個人情報および投薬情報を処方箋１１１に印刷して出力する。
【０１０１】
また、薬品会社から、新たな薬品が納入された場合、薬剤師、もしくは薬品管理者は、その薬品の情報（例えば、薬品種別情報、薬品会社名、もしくは薬品の製造年月日など）をパーソナルコンピュータ１に入力する。パーソナルコンピュータ１は、入力された薬品の情報を、プリンタ８１に出力する。
【０１０２】
プリンタ８１は、薬品情報が記録されていないＲＦタグ１１−４を有し、かつ、薬品名などが印刷されていない新規の薬品ラベル１１２を挿入され、リーダライタ８２を用いて薬品ラベル１１２のＲＦタグ１１−３に患者の薬品情報を記録させるとともに、薬品名を薬品ラベル１１２に印刷して出力する。
【０１０３】
ここでは、パーソナルコンピュータ１を用いて、薬品に関する情報を入力して、薬品ラベル１１２を作成する場合について説明したが、例えば、ベットリネンやユニフォームなどに貼り付けるタグなども、同様にして作成することが可能である。
【０１０４】
図１１のフローチャートを参照して、処方箋１１１の作成処理について説明する。
【０１０５】
薬剤師、もしくは薬品管理者は、カルテ８３のＲＦタグ１１−２を、リーダライタ８２のアンテナ４６−１付近にかざす。ステップＳ３１において、プリンタ８１のリーダライタ８２のＤＰＵ４１は、アンテナ４６−１を介して入力される信号を基に、カルテ８３のＲＦタグ１１−２との情報の授受が可能であるか否かを確認する。
【０１０６】
ＲＦタグ１１−２との情報の授受が可能である場合、ステップＳ３２において、ＤＰＵ４１は、アンテナ４６−１を介して、カルテ８３のＲＦタグ１１−２に、患者の個人情報の送信を要求する信号を出力する。
【０１０７】
ステップＳ３３において、カルテ８３のＲＦタグ１１−２のＣＰＵ７３は、アンテナ６２、ＡＳＫ変復調部７１、およびＢＰＳＫ変復調部７２を介して入力された患者の個人情報の送信要求に基づいて、EEPROM７４から患者の個人情報を読み出して送信する。
【０１０８】
ステップＳ３４において、ＤＰＵ４１は、アンテナ４６−１を介して、カルテ８３のＲＦタグ１１−２から患者の個人情報を受信する。ＤＰＵ４１は、バス４２を介して、メモリ４５に個人情報を記録させておくとともに、バス４２、ＳＣＣ４４、および内部バス９２を介して、ＣＰＵ９１に個人情報を出力する。
【０１０９】
パーソナルコンピュータ１のＣＰＵ２１は、ステップＳ３５において、入出力インターフェース２２および内部バス２３を介して、薬剤師が入力部２４を用いて入力した、対応する患者の投薬情報の入力を受け、ステップＳ３６において、入力された投薬情報を、内部バス２３、入出力インターフェース２２およびネットワークインターフェース２９を介して、プリンタ８１に出力する。
【０１１０】
ステップＳ３７において、プリンタ８１のＣＰＵ９１は、入出力インターフェース９４および内部バス９２を介して、パーソナルコンピュータ１から、投薬情報の入力を受ける。ＣＰＵ９１は、内部バス９２を介して、ＲＡＭ９６に投薬情報を出力して記録させるとともに、内部バス９２を介して、リーダライタ８２に、投薬情報を出力する。
【０１１１】
ステップＳ３８において、プリンタ８１のリーダライタ８２のＤＰＵ４１は、アンテナ４６−２を介して入力される信号を基に、処方箋１１１のＲＦタグ１１−３との情報の授受が可能であるか否か（すなわち処方箋１１１が用紙搬送部１００により搬送され、ＲＦタグ１１−３が、リーダライタ８２のアンテナ４６−２付近まで移動したか否か）を確認する。
【０１１２】
ＲＦタグ１１−２との情報の授受が可能である場合、ステップＳ３９において、ＤＰＵ４１は、アンテナ４６−２を介して、ステップＳ３４において入力された患者の個人情報、および、ステップＳ３７において入力された投薬情報を、処方箋１１１のＲＦタグ１１−３に送信する。
【０１１３】
処方箋１１１のＲＦタグ１１−３のＣＰＵ７３は、ステップＳ４０において、患者の個人情報および投薬情報の入力を受け、ステップＳ４１において、EEPROM７４に患者の個人情報および投薬情報を記録する。
【０１１４】
ステップＳ４２において、プリンタ８１のＣＰＵ９１は、患者の個人情報および投薬情報を印刷データ処理部９８に出力して、処方箋１１１に、患者の個人情報および投薬情報を印刷させて、処方箋１１１を排出させ、処理が終了される。
【０１１５】
図１１を用いて説明した処理により作成された処方箋１１１には、患者の個人情報および投薬情報が印刷されているのみならず、処方箋１１１のＲＦタグ１１−３のEEPROM７４に記録されるので、処方箋１１１を基に、患者に投与する薬剤を処方する場合（図１５を用いて後述する薬剤ラベルの作成処理）に、EEPROM７４に記録されたデータを利用することができる。
【０１１６】
次に、図１２のフローチャートを参照して、薬品ラベルの作成処理について説明する。
【０１１７】
ステップＳ５１において、パーソナルコンピュータ１のＣＰＵ２１は、入出力インターフェース２２および内部バス２３を介して、薬剤師などが入力部２４を用いて入力した、薬品種別情報などのＲＦタグ１１−４に登録する情報の入力を受け、ステップＳ５２において、登録情報を、内部バス２３、入出力インターフェース２２およびネットワークインターフェース２９を介して、プリンタ８１に出力する。
【０１１８】
ステップＳ５３において、プリンタ８１のＣＰＵ９１は、入出力インターフェース９４および内部バス９２を介して、パーソナルコンピュータ１から、登録情報の入力を受ける。ＣＰＵ９１は、内部バス９２を介して、ＲＡＭ９６に登録情報を出力して記録させるとともに、内部バス９２を介して、リーダライタ８２に、登録情報を出力する。
【０１１９】
ステップＳ５４において、プリンタ８１のリーダライタ８２のＤＰＵ４１は、アンテナ４６−２を介して入力される信号を基に、薬品ラベル１１２のＲＦタグ１１−４との情報の授受が可能であるか否か（すなわち薬品ラベル１１２が用紙搬送部１００により搬送され、ＲＦタグ１１−４が、リーダライタ８２のアンテナ４６−２付近まで移動したか否か）を確認する。
【０１２０】
ＲＦタグ１１−４との情報の授受が可能である場合、ステップＳ５５において、ＤＰＵ４１は、アンテナ４６−２を介して、ステップＳ５３において入力された登録情報を、薬品ラベル１１２のＲＦタグ１１−４に送信する。
【０１２１】
薬品ラベル１１２のＲＦタグ１１−４のＣＰＵ７３は、ステップＳ５６において、登録情報の入力を受け、ステップＳ５７において、EEPROM７４に登録情報を記録する。
【０１２２】
ステップＳ５８において、プリンタ８１のＣＰＵ９１は、登録情報を印刷データ処理部９８に出力して、登録情報を薬品ラベル１１２に印刷させて、薬品ラベル１１２を排出させ、処理が終了される。
【０１２３】
なお、図１０乃至図１２を用いて説明した処方箋１１１および薬品ラベル１１２の発行システムにおいても、リーダライタ８２（もしくは、リーダライタ２）を、プリンタ８１の外部に接続するようにしても良い。
【０１２４】
図１１を用いて説明した処理により、処方箋１１１が作成され、図１２を用いて説明した処理により、薬品容器などに貼り付けられる薬品ラベル１１２が作成される。薬剤師は、処方箋１１１のＲＦタグ１１−３に記録されている投薬情報、および、薬品ラベル１１２のＲＦタグ１１−４に記録されている情報（薬品種別情報など）を用いて、薬品容器の中に収容されている薬品が、該当する患者に処方するべき薬品であることを確認して、患者に投与する薬剤を処方する。図１３を用いて、処方された薬剤の容器などに貼り付けられる薬剤ラベルの発行システムについて説明する。
【０１２５】
プリンタ８１に内蔵されているリーダライタ８２は、処方箋１１１のＲＦタグ１１−３に記録された投薬情報、および薬品容器１２１に貼り付けられた薬品ラベル１１２のＲＦタグ１１−４に記録された薬品種別情報を読み出す。プリンタ８１は、読み出した投薬情報および薬品種別情報が一致しているか否かによって、一致ブザーもしくは不一致ブザーを鳴らすことにより、薬剤師に、処方される薬品の選択ミスを起こさないように警告することができる。
【０１２６】
プリンタ８１は、患者の個人情報および投薬情報が記録されていないＲＦタグ１１−５を有し、かつ、患者名および薬剤名が印刷されていない新規の薬剤ラベル１２２を挿入され、リーダライタ８２を用いて薬剤ラベル１２２のＲＦタグ１１−４に患者の個人情報および投薬情報を記録させるとともに、患者名および薬剤名を薬剤ラベル１２２に印刷して出力する。
【０１２７】
薬剤ラベル１２２は、通院患者が診察を受けてその結果に応じて処方される薬剤が入れられる、図１４（Ａ）に示されるような薬袋１３１に貼り付けられるのみならず、例えば、図１４（Ｂ）に示されるような点滴容器１３２や、図１４（Ｃ）に示されるような注射器１３３にも貼り付けることができる。
【０１２８】
図１５のフローチャートを参照して、薬剤ラベル１２２の作成処理について説明する。
【０１２９】
薬剤師は、処方箋１１１のＲＦタグ１１−３を、リーダライタ８２のアンテナ４６−１付近にかざす。ステップＳ７１において、プリンタ８１のリーダライタ８２のＤＰＵ４１は、アンテナ４６−１を介して入力される信号を基に、処方箋１１１のＲＦタグ１１−３との情報の授受が可能であるか否かを確認する。
【０１３０】
ＲＦタグ１１−３との情報の授受が可能である場合、ステップＳ７２において、ＤＰＵ４１は、アンテナ４６−１を介して、処方箋１１１のＲＦタグ１１−３に、投薬情報および患者の個人情報の送信を要求する信号を出力する。
【０１３１】
ステップＳ７３において、処方箋１１１のＲＦタグ１１−３のＣＰＵ７３は、アンテナ６２、ＡＳＫ変復調部７１、およびＢＰＳＫ変復調部７２を介して入力された投薬情報および患者の個人情報の送信要求に基づいて、EEPROM７４から投薬情報および患者の個人情報を読み出して、プリンタ８１のリーダライタ８２に送信する。
【０１３２】
ステップＳ７４において、ＤＰＵ４１は、アンテナ４６−１を介して、処方箋１１１のＲＦタグ１１−３から投薬情報および患者の個人情報を受信する。ＤＰＵ４１は、バス４２を介して、メモリ４５に投薬情報および個人情報を記録させておくとともに、バス４２、ＳＣＣ４４、および内部バス９２を介して、ＣＰＵ９１に投薬情報および個人情報を出力する。ＣＰＵ９１は、ＲＡＭ９６に投薬情報および患者の個人情報を出力して記録させる。
【０１３３】
薬剤師は、薬品容器１２１に貼り付けられている薬品ラベル１１２のＲＦタグ１１−４を、リーダライタ８２のアンテナ４６−１付近にかざす。ステップＳ７５において、プリンタ８１のリーダライタ８２のＤＰＵ４１は、アンテナ４６−１を介して入力される信号を基に、薬品容器１２１に貼り付けられている薬品ラベル１１２のＲＦタグ１１−４との情報の授受が可能であるか否かを確認する。
【０１３４】
ＲＦタグ１１−４との情報の授受が可能である場合、ステップＳ７６において、ＤＰＵ４１は、アンテナ４６−１を介して、薬品ラベル１１２のＲＦタグ１１−４に、薬品種別情報の送信を要求する信号を出力する。
【０１３５】
ステップＳ７７において、薬品ラベル１１２のＲＦタグ１１−４のＣＰＵ７３は、アンテナ６２、ＡＳＫ変復調部７１、およびＢＰＳＫ変復調部７２を介して入力された薬品種別情報の送信要求に基づいて、EEPROM７４から薬品種別情報を読み出して、プリンタ８１のリーダライタ８２に送信する。
【０１３６】
ＤＰＵ４１は、アンテナ４６−１を介して、薬品ラベル１１２のＲＦタグ１１−４から薬品種別情報を受信する。ＤＰＵ４１は、バス４２を介して、メモリ４５に薬品種別情報を記録させておくとともに、バス４２、ＳＣＣ４４、および内部バス９２を介して、ＣＰＵ９１に薬品種別情報を出力する。
【０１３７】
ステップＳ７８において、ＣＰＵ９１は、ＲＡＭ９６に記録されている投薬情報と、入力された薬品種別情報は一致したか否かを判断する。
【０１３８】
ステップＳ７８において、投薬情報と薬品種別情報が一致していないと判断された場合、ステップＳ７９において、ＣＰＵ９１は、不一致ブザーを鳴らすための制御信号を、内部バス９２を介してブザー９７に出力する。ブザー９７は、不一致ブザーを鳴らして、処理が終了される。
【０１３９】
ステップＳ７８において、投薬情報と薬品種別情報が一致していると判断された場合、ステップＳ８０において、ＣＰＵ９１は、一致ブザーを鳴らすための制御信号を、内部バス９２を介してブザー９７に出力する。ブザー９７は、不一致ブザーと異なる音の一致ブザーを鳴らす。また、ＣＰＵ９１は、投薬情報と薬品種別情報が一致していることを示す信号を、内部バス９２を介して、リーダライタ８２に出力する。
【０１４０】
薬剤師は、薬品の処方に使用した薬品容器１１２の薬品ラベル１１２のＲＦタグ１１−４を、リーダライタ８２のアンテナ４６−１付近にかざす。ステップＳ８１において、プリンタ８１のリーダライタ８２のＤＰＵ４１は、アンテナ４６−１を介して、薬品の処方に使用した薬品容器１１２の薬品ラベル１１２のＲＦタグ１１−４に、再度、薬品種別情報の送信を要求する信号を出力する。
【０１４１】
ステップＳ８２において、薬品ラベル１１２のＲＦタグ１１−４のＣＰＵ７３は、入力された薬品種別情報の送信要求に基づいて、EEPROM７４から薬品種別情報を読み出して、プリンタ８１のリーダライタ８２に送信する。
【０１４２】
プリンタ８１のリーダライタ８２のＤＰＵ４１は、ステップＳ８３において、アンテナ４６−１を介して、薬品ラベル１１２のＲＦタグ１１−４から薬品種別情報を受信し、ステップＳ８４において、アンテナ４６−２を介して入力される信号を基に、薬剤ラベル１２２のＲＦタグ１１−５との情報の授受が可能であるか否か（すなわち薬剤ラベル１２２が用紙搬送部１００により搬送され、ＲＦタグ１１−５が、リーダライタ８２のアンテナ４６−２付近まで移動したか否か）を確認する。
【０１４３】
薬剤ラベル１２２のＲＦタグ１１−５との情報の授受が可能である場合、ステップＳ８５において、リーダライタ８２のＤＰＵ４１は、アンテナ４６−２を介して、患者の個人情報および投薬情報（薬品種別情報）を、薬剤ラベル１２２のＲＦタグ１１−５に送信する。
【０１４４】
薬剤ラベル１２２のＲＦタグ１１−５のＣＰＵ７３は、ステップＳ８６において、患者の個人情報および投薬情報の入力を受け、ステップＳ８７において、EEPROM７４に患者の個人情報および投薬情報を記録する。
【０１４５】
ステップＳ８８において、プリンタ８１のＣＰＵ９１は、入力された患者の個人情報および投薬情報登録情報を基に、患者名および薬剤名を、印刷データ処理部９８に出力して、薬剤ラベル１２２に、患者名および薬剤名を印刷させて、薬品ラベル１１２を排出させ、処理が終了される。
【０１４６】
なお、この場合においても、リーダライタ８２（もしくは、リーダライタ２）を、プリンタ８１の外部に接続するようにしても良い。
【０１４７】
このようにして生成された薬剤ラベル１２２は、図１４を用いて説明したように、薬袋１３１、点滴容器１３２、もしくは注射器１３３などに貼り付けられる。通院患者や入院患者に、薬袋１３１が手渡される場合、もしくは、点滴容器１３２や注射器１３３などを用いて治療が行われる場合、患者が有する診察券３などを用いて、対応する薬品が処方されている患者本人であることを確認することができる。
【０１４８】
図１６を用いて、患者確認方法について説明する。
【０１４９】
医者や看護婦などは、図３を用いて説明したリーダライタ２を内部に有するハンディ端末１４１を携帯している。ハンディ端末１４１は、その表面のいずれかの位置に、リーダライタ２のアンテナ４６を備え、ＲＦタグ１１−１乃至ＲＦタグ１１−６がアンテナ４６付近にかざされた場合、ＲＦタグ１１−１乃至ＲＦタグ１１−６と情報を授受することが出来る。また、ハンディ端末１４１は、処理結果を音で通知するためのブザー１５１、処理結果を表示するための表示部１５２、および、各種指令を入力するための入力部１５３を備えている。
【０１５０】
通院患者は自分自身の個人情報が記録されたＲＦタグ１１−１を有する診察券３を携帯しており、入院患者は自分自身の個人情報が記録されたＲＦタグ１１−６を有するリストバンド１４２を携帯している。
【０１５１】
医者や看護婦は、ハンディ端末１４１に診察券３のＲＦタグ１１−１もしくはリストバンド１４２のＲＦタグ１１−６から患者の個人情報を読み込ませ、使用する薬剤に貼り付けられている薬剤ラベル１２２のＲＦタグ１１−５から、投薬情報および個人情報を読み込ませる。
【０１５２】
ハンディ端末１４１は、診察券３のＲＦタグ１１−１もしくはリストバンド１４２のＲＦタグ１１−６に記録されている患者の個人情報と、薬剤ラベル１２２のＲＦタグ１１−５に記録されている患者の個人情報とを比較して、一致しているか否かを判断し、その結果を、ブザー１５１もしくは表示部１５２を用いて、使用者に通知する。
【０１５３】
図１７は、ハンディ端末１４１の構成を示すブロック図である。
【０１５４】
ＣＰＵ１６１は、内部バス１６２を介して、リーダライタ２、入力部１５３、から入力される信号に従った各種処理を実行する。入力部１５３は、例えば、ボタンやキーボードなどで構成され、ユーザから操作の入力を受けるときに用いられる。
【０１５５】
ＲＯＭ１６３は、内部バス１６２によりＣＰＵ１６１に接続され、ＣＰＵ１６１が使用するプログラムや演算用のパラメータのうちの基本的に固定のデータを格納する。ＲＡＭ１６４は、内部バス１６２によりＣＰＵ１６１に接続され、ＣＰＵ１６１の実行において使用するプログラムや、その実行において適宜変化するパラメータを格納する。
【０１５６】
リーダライタ２は、内部バス１６２に接続され、診察券３のＲＦタグ１１−１、リストバンド１４２のＲＦタグ１１-６、もしくは薬剤ラベル１２２のＲＦタグ１１−５からデータを読み出して、内部バス１６２を介してＣＰＵ１６１に供給したり、ＣＰＵ１６１から供給されたデータを、診察券３のＲＦタグ１１−１、もしくはリストバンド１４２のＲＦタグ１１−６に送信して、記録させる。
【０１５７】
ブザー１５１は、内部バス１６２を介して、ＣＰＵ１６１から入力される制御信号に従って、ユーザに対して、警告を示すブザー音、あるいは、処理の正常終了を示すブザー音などを発生する。表示部１５２は、内部バス１６２を介して、ＣＰＵ１６１から入力される制御信号に従って、ＣＰＵ１６１の処理結果を表示する。
【０１５８】
なお、ハンディ端末１４１に、ネットワークインターフェースを更に備えることにより、図１を用いて説明した診察券発行システムにおいて、ハンディ端末１４１を、リーダライタ２の代わりに利用することができる。また、図６を用いて説明したカルテ３の発行システム、図１０を用いて説明した処方箋１１１および薬品ラベル１１２の発行システム、並びに、図１３を用いて説明した薬剤ラベル１２２の発行システムにおいて、プリンタ８１にリーダライタ８２を内蔵する代わりに、ハンディ端末１４１を外部に接続するようにしてもよい。
【０１５９】
図１８のフローチャートを参照して、薬剤投与時の本人確認処理について説明する。ここでは、薬剤を投与される患者は、リストバンド１４２を装着しているものとして説明する。
【０１６０】
医者、もしくは看護婦などは、薬剤ラベル１２２付近に、ハンディ端末１４１のアンテナ４６をかざす。ハンディ端末１４１のリーダライタ２のＤＰＵ４１は、ステップＳ１０１において、アンテナ４６、復調部４７、ＳＰＵ４３、およびバス４２を介して入力される信号を基に、薬剤ラベル１２２のＲＦタグ１１−４との情報の授受が可能であるか否かを確認し、ＲＦタグ１１−４との情報の授受が可能である場合、ステップＳ１０２において、薬剤ラベル１２２のＲＦタグ１１−４に、アンテナ４６を介して、投薬情報および個人情報の送信を要求する。
【０１６１】
ステップＳ１０３において、薬剤ラベル１２２のＲＦタグ１１−４のＣＰＵ７３は、アンテナ６２、ＡＳＫ変復調部７１、およびＢＰＳＫ変復調部７２を介して入力された、投薬情報の送信要求に従って、ＢＰＳＫ変復調部７２、ＡＳＫ変復調部７１、およびアンテナ６２を介して、ハンディ端末１４１に投薬情報および個人情報を送信する。
【０１６２】
ステップＳ１０４において、ハンディ端末１４１のリーダライタ２のＤＰＵ４１は、薬剤ラベル１２２のＲＦタグ１１−４から投薬情報および個人情報を受信して、ＳＣＣ４４および内部バス１６２を介して、ＣＰＵ１６１に投薬情報および個人情報を出力する。ＣＰＵ１６１は、入力された投薬情報および個人情報を、ＲＡＭ１６４に出力して保存させる。
【０１６３】
医者、もしくは看護婦などは、リストバンド１４２付近に、ハンディ端末１４１のアンテナ４６をかざす。ハンディ端末１４１のリーダライタ２のＤＰＵ４１は、ステップＳ１０５において、アンテナ４６、復調部４７、ＳＰＵ４３、およびバス４２を介して入力される信号を基に、リストバンド１４２のＲＦタグ１１−６との情報の授受が可能であるかを確認し、リストバンド１４２のＲＦタグ１１−６との情報の授受が可能である場合、ステップＳ１０６において、リストバンド１４２のＲＦタグ１１−６に、個人情報の送信を要求する。
【０１６４】
ステップＳ１０７において、リストバンド１４２のＲＦタグ１１−６は、入力された個人情報の送信要求に従って、ハンディ端末１４１に、個人情報を送信する。
【０１６５】
ステップＳ１０８において、リーダライタ２のＤＰＵ４１は、リストバンド１４２のＲＦタグ１１−６から個人情報を受信して、ＳＣＣ４４および内部バス１６２を介して、ＣＰＵ１６１に個人情報を出力する。ＣＰＵ１６１は、入力された個人情報を、ＲＡＭ１６４に出力して保存させる。
【０１６６】
ステップＳ１０９において、ＣＰＵ１６１は、内部バス１６２を介して、ＲＡＭ１６４から、ステップＳ１０４において保存された薬剤ラベル１２２のＲＦタグ１１−５に記録されている個人情報、およびステップＳ１０８において保存されたリストバンド１４２のＲＦタグ１１−６に記録されている個人情報を読み出し、個人情報が一致しているか否かを判断する。
【０１６７】
ステップＳ１０９において、個人情報が一致していないと判断された場合、ステップＳ１１０において、ＣＰＵ１６１は、不一致ブザーを鳴らすための制御信号を、内部バス１６２を介してブザー１５１に出力する。ブザー１５１は、不一致ブザーを鳴らして、処理が終了される。
【０１６８】
ステップＳ７８において、個人情報が一致していると判断された場合、ステップＳ８０において、ＣＰＵ１６１は、一致ブザーを鳴らすための制御信号を、内部バス１６２を介してブザー１５１に出力する。ブザー１５１は、不一致ブザーと異なる音の一致ブザーを鳴らす。また、ＣＰＵ１６１は、個人情報が一致していることを示す信号を、内部バス１６２を介して、リーダライタ２に出力する。
【０１６９】
ステップＳ１１２において、ステップＳ１０６と同様の処理が行われ、ステップＳ１１３において、リーダライタ２のＤＰＵ４１は、ステップＳ１０４において保存された投薬情報を、ＲＡＭ１６４から読み出し、内部バスを介して、リーダライタ２に出力する。リーダライタ２のＤＰＵ４１は、アンテナ４６を介して、リストバンド１４２のＲＦタグ１１−６に、投薬情報を送信する。
【０１７０】
リストバンド１４２のＲＦタグ１１−６のＣＰＵ７３は、ステップＳ１１４において、リーダライタ２より送信された投薬情報の入力を受け、ステップＳ１１５において、投薬履歴として、入力された投薬情報をEEPROM７４に出力して記録させ、処理が終了される。
【０１７１】
ここでは、入院患者が保有するリストバンド１４２のＲＦタグ１１−６に記録されている個人情報を用いて薬剤ラベル１２２のＲＦタグ１１−６との照合を行う場合について説明したが、通院患者に投薬する場合の本人確認および投薬履歴の記録も、診察券３を用いて図１８を用いて説明した処理と同様の処理を行うことによって実現することが可能なのはいうまでもない。
【０１７２】
図１８を用いて説明した処理により、医者や看護婦は、患者のリストバンド１４２のＲＦタグ１１−６に記録されている個人情報と、例えば薬袋１３１、点滴容器１３２、もしくは注射器１３３などに貼り付けられている薬剤ラベル１２２のＲＦタグ１１−５に記録されている個人情報を照会し、個人情報が一致している場合にのみ、治療を行うようにしたので、医療ミスを防ぐことが出来、更に、患者のリストバンド１４２のＲＦタグ１１−６に、投薬履歴を記録させることにより、対応する患者に対して行われた治療の履歴を確実に蓄積し、管理することが可能となる。
【０１７３】
以上説明した、ＲＦタグ１１−１乃至ＲＦタグ１１−６と、ＲＦタグ１１−１乃至ＲＦタグ１１−６と情報を授受するリーダライタ２、プリンタ８１、もしくはハンディ端末１４１とを利用した医療情報照合システムは、医療現場の様々な状況に適応することが出来る。図１９を用いて、医療現場における利用例について説明する。
【０１７４】
通院患者は、受付にて、図５を用いて説明した処理により、診察券３を発行され、入院患者は、受付にて、リストバンド１４２を発行される。診察券３のＲＦタグ１１−１およびリストバンド１４２のＲＦタグ１１−６には、対応される患者の個人情報が記録される。また、在宅医療を受ける患者も、同様の処理により、診察券３もしくはリストバンド１４２の発行を受ける。
【０１７５】
診察や人間ドックの実施に際して、患者の本人確認は、診察券３のＲＦタグ１１−１もしくはリストバンド１４２のＲＦタグ１１−６に記録されている個人情報の照会によって行う。また、人間ドックにおいては、例えば、図１８を用いて説明した処理において投薬履歴を蓄積する場合と同様の処理により、検査履歴の登録を行うようにしても良い。
【０１７６】
例えば、診察や人間ドックにおいて検体の採取を行った場合、プリンタ８１を利用して、診察券３のＲＦタグ１１−１もしくはリストバンド１４２のＲＦタグ１１−６に記録されている個人情報を読み込んで、患者の個人情報が記録されたＲＦタグを有する検体ラベルなどを発行し、採取された検体に貼り付け、検体分析にまわすようにしても良い。
【０１７７】
外来患者の診察、もしくは入院患者の回診などといった診療行為において、図９を用いて説明した処理により、カルテ８３が発行され、図１１を用いて説明した処理により、処方箋１１１が発行される。外来患者の本人確認は、診察券３のＲＦタグ１１−１に記録されている個人情報によって、入院患者の本人確認は、リストバンド１４２のＲＦタグ１１−６に記録されている個人情報により行われる。
【０１７８】
薬局では、薬品メーカから納入された薬品に、図１２を用いて説明した処理により作成された薬品ラベル１１２を貼り付けることにより、薬庫管理を行う。薬局では、通院患者、もしくは入院患者に対して発行された処方箋１１１および薬品ラベル１１２が貼り付けられた薬品容器１２１に収容されている薬品を用いて、薬剤が処方される。そして、飲薬を入れる薬袋１３１、点滴薬を入れる点滴容器１３２、もしくは注射薬を入れる注射器１３３には、図１５を用いて説明した処理により作成された薬剤ラベル１２２が貼り付けられる。そして、図１８を用いて説明した処理により、投薬される患者（診察中の通院患者および入院患者）と、投与される薬が照合され、投薬履歴が、診察券３のＲＦタグ１１−１もしくはリストバンド１４２のＲＦタグ１１−６に記録される。
【０１７９】
在宅医療を受ける患者に対する治療においても、本人確認、カルテ８３の発行、あるいは薬剤投与のために、それぞれ同様の処理が行われる。
【０１８０】
また、入院患者の徘徊確認や食事管理においても、リストバンド１４２のＲＦタグ１１−６に記録されている個人情報を利用することが可能である。
【０１８１】
手術においても、リストバンド１４２のＲＦタグ１１−６に記録されている個人情報を利用して本人管理を行うことができる。手術に用いられる医療器具のうち、例えば、人工関節もしくは人工心臓弁などの、患者毎に異なる医療器具は、図１５を用いて説明した薬剤ラベル１２２の作成と同様の処理を行うことにより、患者の個人情報および医療器具の情報が記録されたＲＦタグを有する医療器具ラベルが作成される。そして、医療器具が医療器具メーカから出荷される場合、もしくは病院が医療器具メーカから医療器具を納入する場合に、医療器具に医療器具ラベルを貼り付けるようにすることにより、医療器具の取り違えなどのミスを防ぐことが可能になる。
【０１８２】
更に、看護婦および医者のユニフォーム、並びにベッドシーツおよびタオルなどのリネン類は、多くの場合、リネン会社に購入やクリーニングを委託しているため、その管理は容易ではない。このようなリネン類の管理においても、図１５を用いて説明した薬剤ラベル１２２の作成と同様の処理を行うことにより、利用者の個人情報や、その他の必要な情報が記載されたリネン用ラベルを作成することにより、簡略化することが可能となる。
【０１８３】
なお、本明細書において、システムとは、複数の装置により構成される装置全体を表すものである。
【図面の簡単な説明】
【０１８４】
【図１】本発明を適応した診察券発行システムについて説明するための図である。
【図２】図１のパーソナルコンピュータの構成を示すブロック図である。
【図３】図１のリーダライタの構成を示すブロック図である。
【図４】図１のＲＦタグの構成を示すブロック図である。
【図５】診察券発行処理について説明するためのフローチャートである。
【図６】本発明を適応したカルテ発行システムについて説明するための図である。
【図７】図６のプリンタの構成を示すブロック図である。
【図８】図６のリーダライタの構成を示すブロック図である。
【図９】カルテの発行処理について説明するためのフローチャートである。
【図１０】本発明を適応した処方箋および薬品ラベルの作成システムについて説明するための図である。
【図１１】処方箋の作成処理について説明するためのフローチャートである。
【図１２】薬品ラベルの作成処理について説明するためのフローチャートである。
【図１３】本発明を適応した薬剤ラベルの作成システムについて説明するための図である。
【図１４】図１３の薬剤ラベルの利用方法について説明するための図である。
【図１５】薬剤ラベルの作成処理について説明するためのフローチャートである。
【図１６】本発明を適応した患者確認システムについて説明するための図である。
【図１７】図１６のハンディ端末の構成を示すブロック図である。
【図１８】図１６のハンディ端末を用いた患者確認処理について説明するためのフローチャートである。
【図１９】本発明の医療現場における利用例について説明するための図である。
【符号の説明】
【０１８５】
１  パーソナルコンピュータ
２  リーダライタ
３  診察券
１１  ＲＦタグ
６２  アンテナ
７４  EEPROM
８１  プリンタ
８２  リーダライタ
８３  カルテ
１１１  処方箋
１１２  薬品ラベル
１２２  薬剤ラベル
１３１  薬袋
１３２  点滴容器
１３３  注射器
１４１  ハンディ端末
１４２  リストバンド
【図１】
2007073074.tif 000003
【図２】
2007073074.tif 000004
【図３】
2007073074.tif 000005
【図４】
2007073074.tif 000006
【図５】
2007073074.tif 000007
【図６】
2007073074.tif 000008
【図７】
2007073074.tif 000009
【図８】
2007073074.tif 000010
【図９】
2007073074.tif 000011
【図１０】
2007073074.tif 000012
【図１１】
2007073074.tif 000013
【図１２】
2007073074.tif 000014
【図１３】
2007073074.tif 000015
【図１４】
2007073074.tif 000016
【図１５】
2007073074.tif 000017
【図１６】
2007073074.tif 000018
【図１７】
2007073074.tif 000019
【図１８】
2007073074.tif 000020
【図１９】
2007073074.tif 000021